(57)【要約】【目的】小木用だが樹木の側根と真下の根まで切断し、併せて根元を根鉢状に掬い上げて移動でき、造園業者や一般家庭でも操作できる構成簡単な移植用装置であること。【構成】パワーショベル等作業車に取付け用いるバケットにおいて、水平状に相対して環を形成する２つの半円状支持枠体１に、複数の鋤状刃２を少なくとも環の内方へは回動自在に吊着させ、半円状支持枠体１の一端は回動軸３を介し作業車のアームに連結するブラケット４に軸着し、他端は伸縮手段５により開閉する連結端部６に至る。なお、鋤状刃２の内側には吊上用フック１２を設けると共に、掘削時には定径環１５を用いることを基本構成とする植木移植用バケット。【選択図】図１
2008113641.tif 000002
【特許請求の範囲】
【請求項１】
パワーショベル等の土木工事用作業車に取付けて用いるバケットにおいて、水平状に相対して環を形成するように配した２つの半円状支持枠体（１）それぞれに、複数枚の鋤状刃（２）を少なくとも上記環の内方へは回動自在に吊着させて、上記２つの半円状支持枠体（１）の一端はそれぞれ回動軸（３）として作業車のアーム（７）に連結させるためのブラケット（４）に並列して軸着されると共に、他端は伸縮手段（５）の伸縮によって互いに水平方向に開閉する連結端部（６）に至り、かつ、上記ブラケット（４）面には、上記作業車のアーム（７）の力を伝達するため複数並列とするアーム取付部（８）の中心を結ぶ直線が、上記２つの半円状支持枠体（１）にて形成される環の中心線に対し直交状に構成して成ることを特徴とする植木移植用バケット。
【請求項２】
鋤状刃（２）を、下端である先端に向うにしたがい環の内方に向けて湾曲するように形成した請求項１記載の植木移植用バケット。
【請求項３】
鋤状刃（２）を、１つの半円状支持枠体（１）に３枚ずつ配設させた請求項１又は請求項２記載の植木移植用バケット。
【請求項４】
中央配置の鋤状刃（２）のみを、環に対して両隣の鋤状刃（２）の外側に配設し、上記中央配置の鋤状刃（２）の上辺近傍が、両隣の鋤状刃（２）の上辺近傍に一部が重なるようにした請求項３記載の植木移植用バケット。
【請求項５】
鋤状刃（２）に、その上辺中央部から下方に向け全長の半分辺りまで、補強のためＵ字状曲辺部（９）を有した請求項１乃至請求項４のいずれかに記載の植木移植用バケット。
【請求項６】
半円状支持枠体（１）の長さ方向の中間近辺に、押圧用補助アーム（１０）を上下方向へ回動自在に軸着するための補助アーム用軸受（１１）を付加した請求項１乃至請求項５のいずれかに記載の植木移植用バケット。
【請求項７】
鋤状刃（２）の内側面の中央近傍に吊上用フック（１２）を設けた請求項１乃至請求項６のいずれかに記載の植木移植用バケット。
【請求項８】
鋤状刃（２）の上辺中央部を中心に、ハンマー等打撃手道具を用いて鋤状刃（２）を土中へ打ち込むための打撃頭部（１３）を設けた請求項１乃至請求項７のいずれかに記載の植木移植用バケット。
【請求項９】
伸縮手段（５）を、把手にして手動にて２つの半円状支持枠体（１）の開閉を行うようにした請求項１乃至請求項８のいずれかに記載の植木移植用バケット。
【請求項１０】
鋤状刃（２）の内面部の上方近くに、上下方向に並列し、かつ、上下を閉鎖した短管動案内枠（３０）を設け、該短管動案内枠（３０）内を上下方向へスライド移動可能とした短管（２３）を嵌着させて、上記鋤状刃（２）を半円状支持枠体（１）に吊り下げるようにした請求項１乃至請求項９のいずれかに記載の植木移植用バケット。
【請求項１１】
鋤状刃（２）の接地圧入時に、鋤状刃（２）の刃先の土中進入方向が、早い内から環の内側方向へ曲がらぬように、２つの半円形体（１４）を合わせてリング体を形成するよう構成した定径環（１５）を併用するよう付属品とした請求項１乃至請求項１０のいずれかに記載の植木移植用バケット。
【発明の詳細な説明】
【技術分野】
【０００１】  この発明は、パワーショベル等作業車に用いられるバケットに関するものであり、特に樹木の全周囲から掘削して、根元を根鉢状に引き抜くよう構成した比較的小形の樹木移植用に用いるバケットに関するものであり、特には造園業者は勿論、一般家庭でも手動にて使用が可能であるように構成せしものである。
【背景技術】
【０００２】  従来、樹木の移植については、小さな樹木は人手にてスコップ等を用いて土を掘り下げていたが、大木となると樹木の運搬用も兼ねたブルトーザ・油圧ショベル・パワーショベル等と称される運搬用作業車を用いていた。
そして、それら作業車に装着されアームで操られる「バケット」は、その機能上「掬い板」とか「掬い爪」とも呼称されているようである。【０００３】  すなわち、土壌や根元を掬う面部を、円弧状とした板体か爪体で成るもの、すなわち掬い板又は掬い爪の２個を、互いに相対させてバケットを形成させたものである。
そして、取り扱う樹木は幹径が１０ｃｍ以上の大木が対象のようであり、その作業手順は、先ず樹木の両側に溝を掘ってから、上記のバケットを開いて掘った樹木の両側の溝から土壌と共に根鉢状に樹木を掬い上げる方式としている。【０００４】  この方式は、樹木を挟んで左右方向のみから土壌を堀り下げるものであるが、これでは前後方向の根については、その切断を完全には果たせなく、バケットで根を引っ掛けて引きちぎる欠点がある。それ故、樹木の全周囲から堀り下げる方式のものが見受けられる。
なお、掘削の効率を向上させるために、掘削刃に振動を与えて掘り進む方式があるが、細根に付着している土が振い落とされて枯れる虞があるので好ましくないとされている。
次に、樹木の全周囲から堀り下げる方式のもの幾つかについてその先願を紹介する。【０００５】  先ず、樹木の全周囲の側根の切断と根巻き作業ができ、構成も至極簡単な先願を示す。その構成は、短辺方向にやや湾曲した長方形状の金属薄板で、その上短辺は折り曲げ補強され、下短辺を刃とし、その両長辺には複数個の連結環を有している。その連結環に着脱自在に遊嵌する連結軸があって、これらを複数組用いるのである。すなわち、金属薄板に連結軸を挿通し、樹木の周囲に囲繞立設させた後、ハンマー等で金属薄板の上短辺を順次交互に打撃して土中に打ち込んで行く発明の名称「樹木移植用装置およびそれを用いてなる樹木の定植に係る作業の簡素化」というものがある。（例えば、特許文献１参照。）。【０００６】  次は、作業車のアームの先端には円弧状ガイドフレームがあり、その内周に設けられた案内溝に、嵌合保持され前方に開口部があって水平方向に往復回動可能な一対の下方に長いＣ形スリーブを有し、その両Ｃ形スリーブの内側下縁には一対の半球半体からなるボールゲートが上下方向に開閉可能に枢着して下端縁にある根切断刃で底を閉じるよう構成したものである。装置の上縁中央部にはＣ形スリーブを水平方向に往復回動するための開閉用油圧シリンダーがあり、ボールゲートの上端には両半球半体と切断刃を上下方向に移動して底部を開閉するための一対の油圧シリンダーが連結した構成としている。【０００７】  そこで、先ず立木を抱き込むようにＣ形スリーブ内に位置させてから、作業車のアーム力でＣ形スリーブを土中に押し下げながら、開口部の開き以上にＣ形スリーブが往復動するよう油圧シリンダーを交互に作動させ、両半球半体下端の根切断刃で側根を切断する。
そして、所定の深さに達した時に、両半球半体上端の油圧シリンダーを作動させて下方の根の切断と共に底を閉じて根部が半球状に成形される発明の名称「樹木移植機」というものがある。（例えば、特許文献２参照。）。【０００８】  また、大木用で、前方が一対のリニアモータで開閉し得て樹木を包囲するよう複数のリングスタンドを有し、そこから上方に延びる複数の湾曲した柱と湾曲した板があって、その柱には平行に上下動する複数の掘出しさじ形ショベルを備えており、諸案内装置によって樹木を包囲した複数の掘出しさじ形ショベルが、リニアモータにより下がりながら土中の根を切断して行くと、その複数の下端部が出会うように構成された発明の名称「樹木掘出し機械」というものがある。（例えば、特許文献３参照。）。【０００９】  更に、３個以上の掬い爪が根元部を全方向から囲繞するように向心的に配置されたもので、これらの上下動は作業車の昇降機構であるアームにて行われる。そして、各掬い爪には、これを根元部の側方から下方にかけて回動する旋回駆動手段を有し、更に前側の掬い爪を退去させることにより根元部を取り出せるようにした発明の名称「樹木の根元部を全方向から掘り上げる樹木の移植装置」というものがある。（例えば、特許文献４参照。）。
【特許文献１】特開２００６−１１５８２３号公報（１〜２頁、図１〜図４、図６）
【特許文献２】特開平１１−２０６２５０号公報（［０００４］〜［０００６］、図４、図７、図８、図１０）
【特許文献３】特開昭５８−１８３０２０号公報（４〜７頁、図３〜図４、図１１）
【特許文献４】特開昭６１−３１０３０号公報（５〜８頁、図１、図４、図６）
【発明の開示】
【発明が解決しようとする課題】
【００１０】  上述の特許文献１は、引例先願中で最も簡単な構成のもので、その点は造園業者や一般家庭でも手軽に使用できてよいのだが、長方形状の金属薄板の上短辺を打撃して土中に打ち込み側根や枝根を切断できても、立木の下方の根の切断ができない点が不満である。
また、被打撃部分である金属薄板の上短辺は、単に辺部を折り曲げただけだから十分な補強策とは言えず直ぐに屈曲破損してしまう虞があるし、当然ながらこの装置だけでは側根を切断した立木を土中から引き上げることはできない。【００１１】  特許文献２は、一対のＣ形スリーブの内側下縁にある半球半体のボールゲートで、側根のみならず垂直根の切断もでき、併せて立木根部の球状成形もできる優れた発明である。
しかし、大木用とは言え作業車のアーム力を用いる他に、装置の上縁中央部にはＣ形スリーブを水平方向に往復回動するための開閉用油圧シリンダーがあり、ボールゲートの上端にも両半球半体で底部を開閉するための一対の油圧シリンダーが連結しているように、計４個もの油圧シリンダーを採用するなど大掛かりな装置となる欠点がある。【００１２】  また、特許文献３は、特許文献２に似て前方のリングスタンドを開いて樹木を包囲してから掘削用の掘出しさじ形ショベルを下げ、側根のみならず樹木の下の垂直根の切断も行うよう構成されているが、リングスタンドの開閉用リニアモータが２個、４〜８本の柱にそれぞれある掘出しさじ形ショベル駆動用のリニアモータが必要となり、諸案内装置の存在と共に大木用とは言え非常に大掛かりな装置のものである。【００１３】  更に、特許文献４も、複数の掬い爪が樹木の根元部の側方から下方にかけて回動する旋回駆動手段を有しているから、側根から垂直根まで全部の根の切断を行うよう構成されているが、これも掬い爪の数だけ油圧シリンダと複雑な構造の旋回駆動手段が必要となるから装置が大掛かりなものとなっている。【００１４】  以上詳記のように、従来の技術においては、特許文献１は別として、樹木の真下の根まで切断し、併せて根元を根鉢状に掬い上げて移植先に移動できるようにするには、大木用とは言えパワーショベル等の作業車はもとより、太い根の切断や重い樹木の移動のためには、多数の油圧シリンダや複雑な諸機構を組み込む必要があったのである。【００１５】  この発明の目的は、大木用とは行かないまでも、樹木の真下の根まで切断し、併せて根元を根鉢状に掬い上げて移植先に移動できるよう特許文献２乃至特許文献４の有する長所を有した上で、できるだけ構成が簡単でコスト安な移植用装置を提供することにある。
したがって、比較的小さな樹木の移植用に最適なものとして、でき得れば一般家庭のガーデニングにおいても容易に操作でき得るものにすることを課題としたのである。
【課題を解決するための手段】
【００１６】  この発明の構成を、以下に各図面に基づき説明するが、これらの図面においては、形を異にしていても機能上同一のものは、同一の符号として示した。また、引き出し線は、同一符号を付すべき全箇所に設けているとは限らなく、幾つかを代表的に選択した。【００１７】  図１乃至図３に示すように、パワーショベル等の土木工事用作業車１６に取付け用いるバケットにおいて、水平状に相対して環を形成するように配設した２つの半円状支持枠体１それぞれに、複数枚（図では３枚）の鋤状刃２を、少なくとも環の内方へは回動自在に遊嵌状に、例えば短管２３などを用いて吊着させたものとする。
なお、２つの半円状支持枠体１の一端は、それぞれ回動軸３として作業車のアーム７に連結させるためのブラケット４に並列して（図では２ヶ所）軸着されると共に、他端は伸縮手段５の伸縮によって互いに水平方向に開閉する連結端部６に至っている。【００１８】  また、ブラケット４面には、作業車のアーム７力を伝達するための複数並列（図では４ヶ所）とするアーム取付部８の中心を結ぶ直線が、２つの半円状支持枠体１で形成する環の中心線に対し直交状に設けて植木移植用バケットと成したものを本発明の基本とした。【００１９】  なお、アーム取付部８は、図１と図３では方形状のブラケット４に穿孔した透孔で示しているが、この透孔にボルト等を介して例えば図８に示すような作業車１６のバケット取付け用ブラケット１７に着脱自在に装着固定させるのが一般的である。
しかしながら、作業車１６の構造によっては、作業車のアーム７のリンク形式に図８のものとは違いがある場合があるので、図２に鎖線で示したように作業車取付用アーム１８を必要とする場合もあるから、これを軸着させるために、アーム取付部８を透孔でなく、図２に見るように軸受体とすることもある。【００２０】  なお、主要部品である鋤状刃２は、下端の先端に向うにしたがい環の内方に向けて湾曲するように形成したものとする。その理由は、土壌中に垂直に圧入するときに、単に垂直方向に直線状板だと、真っ直ぐに土中に進入するのみであるが、湾曲状板ならば湾曲している方向へと進入方向が自然に曲がって進むからである。すなわち、環状に配置された全部の鋤状刃２が、圧入されれば自然に環の中心に向かって土中を進むことになる。【００２１】  なお、鋤状刃２が環の外方には傾かないように、半円状支持枠体１の適所に、特には補助アーム用軸受１１の下部には図２に見るように阻害板２１を設けるのが望ましい。
すなわち、鋤状刃２は環状に遊嵌して吊着しているから、それぞれの鋤状刃２全部が環の内方へ向心的に進入し、お互い刃の先端部で底を形成するようになるのである。
なお、鋤状刃２の最上辺部も、半円状支持枠体１に沿うよう水平面上にて内方に湾曲していることは言うまでもない。【００２２】  また、各図示においては、鋤状刃２を１つの半円状支持枠体１に３枚ずつ配設させたものとしたが、この程度が丁度適当だと考えるからであり、鋤状刃２の上辺の長さとの関係で枚数を変えても構わない。また、刃先の形状も直線に近いものから、湾曲度合いの鈍角から鋭角まで様々なものが考えられるし、全部を統一することもなく、それらの組合せでもよく、この発明の鋤状刃２の形状は図示例に限定するものではない。【００２３】  また、３枚の場合は、中央配置の鋤状刃２のみを、環状において両側の鋤状刃２の外側に配設して、上辺近傍が両隣の鋤状刃２の上辺近傍に一部が重なるようにするのもよい。
この場合、中央配置の鋤状刃２を、両隣の鋤状刃２よりもその上辺近傍を幅広にすると後述する効果が大きくなる。更に、図１と図２及び図５と図６及び図８に示したように、鋤状刃２の上辺中央部から下方に向け全長の半分辺りまで、補強のためのＵ字状曲辺部９を有したものとする方が望ましい。【００２４】  更に、図１０に示したように、鋤状刃２の内面部の上方近くに、上下方向に並列し、かつ、上下を突当辺部３１で閉鎖した短管動案内枠３０を設け、その短管動案内枠３０内間を上下方向へスライド移動可能とした短管２３を嵌着させて、鋤状刃２を半円状支持枠体１に吊り下げるようにすれば、それぞれの鋤状刃２を土中へ短管動案内枠３０の長さに相当する深さまで個々に圧入することが可能になる。
特に、作業車のアーム７の力を用いず、手作業のみで掘削を行う場合には有効である。【００２５】  この場合、短管動案内枠３０を設けず半円状支持枠体１に短管２３を直接固着させて、作業車のアーム７の力を伝え、半円状支持枠体１と共に上下動する鋤状刃２の存在を必要とする。その役割を担う鋤状刃２として例えば、片側の半円状支持枠体１に３枚の鋤状刃２を吊着させるものは、真中の鋤状刃２をそれに当てて、両隣の鋤状刃２には短管動案内枠３０を設けたものとするが如きがよいだろう。【００２６】  なお、２つの半円状支持枠体１には、図１乃至図４及び図８と図９に示すように、半円状支持枠体１の長さ方向の中間近辺に、別に付加する押圧用補助アーム１０を上下方向へ回動自在に軸着するための補助アーム用軸受１１を付加したものとする方が好ましい。
更に、図５と図６及び図９と図１０にも示すように、鋤状刃２の内側面の中央近傍に吊上用フック１２を設けたり、また、図５と図６及び図１０に見るような鋤状刃２の上辺中央部に、ハンマー等打撃手道具を用いて鋤状刃２を土中へ打ち込むための打撃頭部１３を設けたりするもよい。その頭部の形状は、円形でも長方形でも適合しやすい形とする。【００２７】  加えて、鋤状刃２の刃先部分を本体から分離した重ね構成として、この刃先部分を上下方向へ振動を与えて掘削能率を高めることは細根から土を離脱させ好ましくないと前述したが、これは大きく強力な振動の場合であって、１ｃｍ程度の振幅動なら大した懸念はないので、図示省略したが、刃先部分に係着するスプリングバネとそれに抗して上下動を与えるためのエクセントリックな偏芯軸を回転させる振動装置を具備したものとするもよい。【００２８】  また、この発明の付属品として、鋤状刃２の接地圧入時に、鋤状刃２の刃先の土中進入方向が、早い内から内側へ曲がらぬよう図７に示すような２つの半円形体１４にて、リング体を形成するよう構成した定径環１５を併用するようにすることが望ましい。
この定径環１５は、周囲から圧接されても簡単には２つの半円形体１４は分離せず、しかも、用済みの際には、例えばフック２８等を介して引き上げれば容易に分割して取り除くことができるような構成にする必要がある。
以上詳記のように、本発明は極力構成を簡素化し比較的小さな樹木の移植用とした。
【発明の効果】
【００２９】  この発明のバケットを通常用いる作業車のアーム７に取付けて用いた場合の効果は、複数の鋤状刃２が吊着している２つの半円状支持枠体１の前方の連結端部６を開閉して、樹木を中心にその全周囲から一度に掘削できるから、比較的小さな樹木の移植用とは言え、側根や枝根は勿論、樹木の真下の垂直根も切断できると共に、その底が閉じられ根部が半球状に成形されるから、その侭吊上げ得て土の脱落を防ぎ移植先への移動も容易になる。【００３０】  加えて、鋤状刃２が環の内方へ湾曲しているので、上方から圧入するだけで全ての鋤状刃２が環へ向心的に進むようになった。その際、樹木に合わせて土壌中へ圧入する深さを調節するなら、定径環１５を投入しておけば、向心的に進もうとする各鋤状刃２の動きを邪魔するから、目的の深さに達した時に定径環１５を除去して更に圧入すれば、その後の各鋤状刃２は向心的に進み、垂直根も切断して根部を半球状に成形するようになる。
なお、根の切断に関して刃先のみならず両隣の鋤状刃２の高さの中間辺りまで刃を有するようにしたものは、隣同士の鋤状刃２が鋏に似た機能を生じて根を切断しやすくする。【００３１】  なお、圧入は作業車のアーム７力を、ブラケット４を介して行われるが、図８に見るように押圧用補助アーム１０を付設すれば、前方の鋤状刃２をより効果的に圧入することができるようになる。
掘削が終了して樹木を引き上げる時は、両半円状支持枠体１と同時に、各鋤状刃２の内側に有る吊上用フック１２に取付けた図５及び図６に鎖線で示し矢印の対角線方向の、図８では太線で示すように吊上部材２０としてロープ等を結び引き上げればよいのである。【００３２】  加えて、片方の半円状支持枠体１の鋤状刃２が３枚構成のものは、真中の鋤状刃２のみを、両隣の鋤状刃２の外側に配設して上辺近傍が重なるようにしたり、更には加えて真中の鋤状刃２の上辺部を、両隣の鋤状刃２の上辺部よりも幅広にした図１及び図２に示したものには次のような効果を生ずる。
すなわち、全鋤状刃２の先が閉じたときは、その真中の鋤状刃２の両側が最も広い面積で両隣の鋤状刃２に外側から抱えるように重なっていることになるから、その真中の鋤状刃２を引き上げれば、両側の鋤状刃２も同時に引き上げられることになる。【００３３】  したがって、小木の移植用なら真中の鋤状刃２のみに吊上用フック１２を設ければよいことになるから、吊上部材２０も２本で足りることになる。
加えて、鋤状刃２の外側への傾き防止のための阻害板２１を設ける場合も、真中の鋤状刃２のみに設置すれば、両側の鋤状刃２が外側へ傾こうとしても、真中の鋤状刃２にて阻止されるから、両側の鋤状刃２には不要となりその点節約できる。【００３４】  また、鋤状刃２に、上辺中央部から下方に向け全長の半分辺りまでＵ字状曲辺部９を有したものとすると、単なる湾曲しただけのものよりも遙かに補強効果が高まる。
ところで、自然の根張りを切断するには、とかく均一に圧入できかねるのが現実であるから、半円状支持枠体１は傾くことが度々ある。そこで、半円状支持枠体１の適所に打撃頭部１３を設けたものは、時に応じてそこを大鎚で叩くことによって、半円状支持枠体１にて形成される環を水平状に保ちながら圧入できるようになる。【００３５】  更に、小さな木の根の掘削だけなら、圧入作業にパワーショベル等作業車のアーム７力を用いずとも、図１の構造の侭のもの（打撃頭部１３は適所に設ける。）だけで、造園業者や一般家庭のガーデニング用として使用することも可能である。
その際、各鋤状刃２の内面部に短管動案内枠３０を設けた鋤状刃２は、そこに短管２３を嵌着させて半円状支持枠体１に吊り下がることになって、半円状支持枠体１の地上の高さに関係なく、鋤状刃２が上下方向へスライド可能となり、短管動案内枠３０の長さ（土中への深さ）分を、個々の鋤状刃２の打撃頭部１３を叩いて、任意に各鋤状刃２を打ち込むことができるから、手作業でも掘削が容易となる効果を生ずる。【００３６】  すなわち、従来は強制的に刃の進行方向を制御していたが、この発明の鋤状刃２は半円状支持枠体１に遊嵌されて吊り下げられているから、刃先の進む方向は或る程度自由であり大掛かりな制御装置は不要である。また、大きな油圧シリンダーや複雑なリンク機構を可能な限り排除した構成だからコストも大幅に下げ得て安価に提供できるようになった。
【発明を実施するための最良の形態】
【００３７】  この発明実施の最良の形態とは、大きな掘削力を発揮できる作業車１６を利用することと同時に、作業車１６を利用しない一般家庭でも使用が可能のようにと、両者を共用できるように配慮した構成にすることである。
しかしながら、小さな立木の場合と大きな樹木の場合とでは、当然鋤状刃２自体の大きさを異にすべきだから、半円状支持枠体１の大きさも当然異になる。
したがって、大きさ設計上の寸法は省略にして、その構成のみについて説明する。【００３８】  先ず、使用する作業車１６には、図８に見るような押圧用補助アーム１０等を駆動する作業車の油圧シリンダー２２を有した一般用を用い、ありふれた形状である平板状のバケット取付け用ブラケット１７に、本発明のブラケット４も平板状として取付ける。
当然ながらアーム取付部８である透孔は、バケット取付け用ブラケット１７にある透孔に合致するものであり、ボルト・ナット等の締結具で緊締取り付けできるものとする。【００３９】  ところで、この発明の構成部品は全て強靭性を有する素材を採用する。したがって、半円状支持枠体１は半円弧状の円筒鋼管を用い、鋤状刃２は先端に向うにしたがい環の内方に向けて湾曲するように形成したものとし、更に、手シャベルの取手を付ける辺りの凹みのようなＵ字状曲辺部９を設けたものとする。【００４０】  また、先端の刃は刃先のみならず両側の高さの中間辺りまで有するようにする。そのことによって隣同士の鋤状刃２が鋏に似た機能を生じて側根を切断しやすくなることは発明の効果にて述べた通りである。ただし、鋏の支点のように隣同士の鋤状刃２を固く結び付けることはよろしくない。その理由は、土中で用いるのだから両刃の間に土粒が入るのが当たり前であり、挟まった多量の土粒で鋤状刃２間の動きが阻害されるからである。
その点、この鋤状刃２はお互いに自由揺動する構成だから挟まれた土粒も離れやすい。【００４１】  半円状支持枠体１への鋤状刃２の吊着法は、下辺に溶接用の片辺部を有した短管２３を半円状支持枠体１に挿通させ、鋤状刃２の上辺２ヶ所にその片辺部を溶接等で固着させたものとする。なお、片方の半円状支持枠体１へ鋤状刃２を３枚吊着すれば大抵の場合でも事足りる。しかも、前述した図１及び図２のように、真中の鋤状刃２のみを大きく、両隣の鋤状刃２の上辺近傍を外側から重ねるように吊着構成するがよい。【００４２】  また、一部にしか図示していないが、好ましくは鋤状刃２全部に、環の外側方向へは傾かぬよう阻害板２１を半円状支持枠体１の適所に固着させたい。
この場合、前述の真中の鋤状刃２のみを大きくしたものは、図８に示したように、この真中の鋤状刃２のみに阻害板２１を取付ければ十分目的を果たせることができる。すなわち、両隣の鋤状刃２は真中の鋤状刃２にて阻止されるからである。【００４３】  なお、鋤状刃２の内面部に、２つの短管動案内枠３０を設け、その短管動案内枠３０に上下方向へスライド可能とした短管２３を嵌着させ、鋤状刃２を半円状支持枠体１に吊り下げるようにして、それぞれの鋤状刃２を土中へ或る程度の深さまで個々に圧入できるようにすることがより好ましい。この場合、片方の半円状支持枠体１に３枚の鋤状刃２を有するものは、真ん中の鋤状刃２は半円状支持枠体１に固定させて上下にスライドしないものとし、その両隣の鋤状刃２に短管動案内枠３０を設けたものとする。【００４４】  連結端部６は、簡単に外れさえしなければよいので、図１乃至図４及び図９に見るように、半円状支持枠体１の端部に嵌合する内径を有する短管を、相手先の半円状支持枠体１の端部に固着させた程度でよい。なお、土壌を扱うので半円状支持枠体１の端部や短管内に土が入りやすいから、半円状支持枠体１の端部には蓋をし、短管には土を落としやすいように幾つかの透孔を穿孔しておくことが好ましい。また、閉鎖時には簡単に離反せぬように、適当なロック手段を講ずることが望ましい。【００４５】  ２つの半円状支持枠体１を開閉するための伸縮手段５は、２つの伸縮支点２４間を伸縮させる機構であり、各図示においていずれも小型の油圧シリンダー体を採用しているものとして描いたが、土中へ圧入する時の力と比べれば小さな力で済むから、両伸縮支点２４間に油圧シリンダーを用いず、図示省略したが適当なリンク機構の採用で十分である。
極端に言えば、伸縮手段５を不要として、２つの伸縮支点２４を、把手に変更した図９に示したような手動で開閉する方式としてもよいのである。実作業では、この方が連結端部６のロック手段の確認を行なう行為があることを考えれば現場的である。【００４６】  なお、梃子の原理上、樹木に接しない範囲で、できるだけ前方の連結端部６に近い所の半円状支持枠体１に補助アーム用軸受１１を設けて、そこに押圧用補助アーム１０を取付けるべきだが、問題は採用する作業車のアーム７と、その作業車の油圧シリンダー２２とのリンク機構関係で、押圧用補助アーム１０に適切な移動量と移動圧が与えられるよう作業車１６では最適のリンク機構にする必要がある。図８では作業車の油圧シリンダー２２に直交状に連結している水平杆軸２５に押圧用補助アーム１０を軸着させたものである。【００４７】  この発明の使用法を、図６を参考にして順を追って説明する。先に作業車１６を用いる場合を説明すると次のようになる。
先ず、事前準備として、アーム取付部８にて本発明のバケットを、作業車１６のバケット取付け用ブラケット１７に装着させ、押圧用補助アーム１０の一端を作業車の水平杆軸２５に係着、吊上部材２０の一端は同じく水平杆軸２５に仮止めしておく。【００４８】ア）半円形体１４にて移植目的の樹木２７を中心に定径環１５を形成して地面上に置く。
イ）これより作業車１６を操作し、この発明のバケットを樹木２７に近付け、伸縮手段５    にて半円状支持枠体１の連結端部６を開放する。
ウ）樹木２７を２つの半円状支持枠体１が形成する環の中心に位置するよう作業車１６を    進め、伸縮手段５にて連結端部６を閉じ、両半円状支持枠体１の環を形成させる。
エ）全鋤状刃２の刃先が、定径環１５の外側に位置するようにしてから作業車のアーム７    を下げて掘削に入る。全鋤状刃２の刃先は図６の矢印のように内側へ進もうとする。【００４９】オ）掘削を進めて行き、所定の深さ又は定径環１５が鋤状刃２の吊上用フック１２に近く    になったなら掘削を止め、フック２８を引き上げて定径環１５を分離除去する。
カ）更に掘削を進めて、全鋤状刃２の刃先が樹木２７の下で集結したら掘削を止める。
キ）作業車の水平杆軸２５に仮止めしてあった吊上部材２０を、張架し直させてから樹木    ２７の根が根鉢状に全鋤状刃２で抱えられた状態で引き上げて、移植先へ移動する。
以上が概要であるが、掘削中において、個々の鋤状刃２の方向が逸れそうな場合など、必要により打撃頭部１３を叩いて、全鋤状刃２が平均的に掘り進むよう配慮するがよい。【００５０】  次に、作業車１６を採用しない場合について述べる。対象樹木２７は小木となり、本発明のバケットには、半円状支持枠体１の適所に打撃頭部１３が設けられているものを用いるが、押圧用補助アーム１０は取り外して、吊上用フック１２にロープ体とした吊上部材２０のみを繋着させたものとし、伸縮手段５は図９に示したような棒状の把手に変えたものを伸縮支点２４の所に取付けたものとする。
加えて、鋤状刃２の内面部に短管動案内枠３０を設けたものを用いることが好ましい。【００５１】ア）半円形体１４にて移植目的の樹木２７を中心に定径環１５を形成して地面上に置く。
イ）この発明のバケットを樹木２７に近付け、伸縮手段５とした両把手を握って、両把手    を閉じるようにして半円状支持枠体１の連結端部６を開放する。
ウ）樹木２７を２つの半円状支持枠体１が形成する環の中心に位置するようこの発明のバ    ケットを進め、伸縮手段５である両把手を握って連結端部６を閉じ、両半円状支持枠    体１の環を形成させる。
エ）全鋤状刃２の刃先が、定径環１５の外側に位置するようにしてから、個々の鋤状刃２    の打撃頭部１３を大槌やハンマーで交互に叩いて全鋤状刃２を土中に打ち込む。この    際、全鋤状刃２の刃先は図６の矢印のように内側へ進もうとする。【００５２】オ）掘削を進めて行き、所定の深さ又は定径環１５が鋤状刃２の吊上用フック１２に近く    になったなら掘削を止め、フック２８を引き上げて定径環１５を分離除去する。
カ）更に掘削を進めて、全鋤状刃２の刃先が樹木２７の下で集結したら掘削を止める。
キ）吊上部材２０を握って樹木２７の根が根鉢状に全鋤状刃２で抱えられた状態で引き上    げて、一輪車等を用いて移植先へ移動する。
【実施例１】
【００５３】  実施例１を、図１に基づいて説明すると、半円状支持枠体１に円筒鋼管を用い、鋤状刃２は環の内方に向けて湾曲するよう形成したものとしてＵ字状曲辺部９も設けた。また、刃は刃先のみならず両側の高さの中間辺りまで有するようにした。
更に、鋤状刃２を片側３枚として、その中央配置の鋤状刃２は、両側の鋤状刃２よりも上辺近傍を幅広としたものとした。【００５４】  加えて、両側の鋤状刃２の外側に配設して上辺近傍が両側の鋤状刃２の一部に重なるように構成したものとし、それぞれの上辺部に、下辺に溶接用片部を有した短管２３を溶接したものとした。更に、中央配置の鋤状刃２には、図５に見るような鎖線で示した例えばワイヤーとかロープである吊上部材２０の端部を、吊上用フック１２に結着させるようにしている。この吊上部材２０の他端は、図８に見る作業車の水平杆軸２５に結着する。【００５５】  また、ブラケット４は方形板で、作業車１６のバケット取付け用ブラケット１７のボルト孔に合わせて、４角にアーム取付部８として透孔を穿孔したものとした。回動軸３は図示省略したが、半円状支持枠体１の端部の上下にベアーリング等を用いた強固な軸受部を設けたものに軸着させた。
伸縮手段５としては小型の油圧シリンダーを採用し両伸縮支点２４間を伸縮させる。【００５６】  なお、押圧用補助アーム１０を軸着させる補助アーム用軸受１１を、両方の半円状支持枠体１の長さ方向のほぼ中間点にそれぞれ固着させた。
連結端部６は、一方の半円状支持枠体１の前方端部の円筒開口部を円盤で塞ぎ、他方の半円状支持枠体１の前方端部には円盤で塞いだ端部を嵌合させるための径を有した適当長の短い筒体を嵌着させたものとした。
【実施例２】
【００５７】  実施例２は、図２に示したもので、アーム取付部８を透孔でなく、上下方向に回動可能な軸受体としたものであり、その他は実施例１と同じである。
【実施例３】
【００５８】  実施例３は、図３に示したもので、鋤状刃２を片方の半円状支持枠体１に３枚としたものだが、鋤状刃２にはＵ字状曲辺部９がなく、鋤状刃２は全て同じ大きさのものとし、重ねることなく半円状支持枠体１に吊着させたものである。したがって、それぞれの鋤状刃２の内側には吊上用フック１２を設けたものとしたが、その他は実施例１と同じである。
【実施例４】
【００５９】  実施例４は、図４に示したもので、各鋤状刃２にＵ字状曲辺部９がない以外は実施例１と同じものであり、図４は連結端部６を閉じた上に、全鋤状刃２の刃先を集結状にした状態、すなわち、掘削が終了して根鉢を形成するときを示したものである。
【実施例５】
【００６０】  実施例５は、図５に示したもので、選択された鋤状刃２の上辺中央部に、半円状支持枠体１に邪魔にならぬように、円柱状の打撃頭部１３を溶接等で固着させたものである。
【実施例６】
【００６１】  実施例６は、図７及び図６にも示すように、定径環１５の一例であって、或る程度の厚みを有した半円形体２つを、段差切欠部２６を合わせることによって、全体としてリング体を形成するよう構成したものである。その両段差切欠部２６の接合部には、両者を上下に貫くピン用透孔３２があり、そこに挿通するピン３３を落とし入れておく。ピン３３は両段差切欠部２６同士が外れぬためのものであるから、目的を達した後は引き抜きやすいようにピン用透孔３２よりも細いものを採用するがよい。【００６２】  使用目的からして周囲から中心に向けて各鋤状刃２にて圧迫されてもリング体を形成し続ける必要があり、逆に取り外す時は、中央部に設けたフック２８を引き上げることによって容易に除去できるようにならねばならないものである。
この定径環１５の使用時は、鎖線で示した樹木２７を中心にしてリング体を形成するよう地面上に置くことから始まるが、掘削作業が始まると各鋤状刃２が接近して来て、やがて定径環１５の周囲に接触する。この接触圧は次第に高まるから、定径環１５はその逃げ場を下は地面だから上方に求めることになる。その状態で極端に示したのが図６であり、定径環１５が上昇しても各鋤状刃２の吊上用フック１２にて留まることになる。【００６３】  この意味することは、ここまで到達しない内に定径環１５を除去せよということであって、同時に各鋤状刃２が向心的に土中に進入することを防ぐ定径環１５の役割を終えることになるから、各鋤状刃２における吊上用フック１２の位置が重要となる。
すなわち、土中へ刃先が曲がらず垂直状に圧入する深さは各鋤状刃２の刃先から吊上用フック１２辺りまでだということになるのである。
【実施例７】
【００６４】  実施例７は、図９に示したように、伸縮手段５に油圧シリンダーを採用することを取止め、伸縮支点２４の位置に伸縮手段５として把手を取付けたものである。
すなわち、伸縮手段５を手動にて矢印のように両方向へ動かして連結端部６を開閉するようにしたものである。なお、円弧の方が簡単なことから半円状支持枠体１を円弧体として前述して来たが、例えば短管２３のように直管状のものを取付ける関係上、多角形状体であっても構わないし、それらの継ぎ足し形成でも構わない。
【実施例８】
【００６５】  実施例８は、図１０に示したように、各鋤状刃２の内側面に、２個あての短管２３を、その短管２３の両側に突設した突出短辺２９が嵌着して、矢印のように上下方向へスライド可能とするロ字状の短管動案内枠３０を固設させたものとする。
すなわち、半円状支持枠体１に遊嵌している短管２３を、短管動案内枠３０の上下いずれかの突当辺部３１を開口部として、そこから挿入嵌着させ、しかる後、上下の開口部を緊締状に閉じ、鋤状刃２を半円状支持枠体１に吊り下げたものとするのである。【００６６】  なお、突当辺部３１は、上下共に圧力や衝撃力を受ける部分なので、設計上では強度に十分な配慮が望まれる。こうすれば、短管動案内枠３０の上辺の突当辺部３１が短管２３に突き当たるまでの長さ、すなわち、ほぼ短管動案内枠３０の長さに相当する上中の深さまで、鋤状刃２の打撃頭部１３を個々に打ち込むことができるようになるから手動でも作業が容易となる利点を生むことになる。なお、この実施例８の打撃頭部１３は、打撃しやすくするために、その頭部を円形でなく長方形状と面積を広くした。【００６７】  また、鋤状刃２が外方へ傾かないようにするための阻害板２１の取り付け場所は、鎖線で表わしたように、半円状支持枠体１に固着させた短い筒体に溶接して、図１０のように半円状支持枠体１の上方へ突出するように設けることになる。
当然ながら、半円状支持枠体１への鋤状刃２の吊着する位置が、実施例１などとは異なるから、鋤状刃２の上辺部と刃先までの長さを長く設計することになる。
【図面の簡単な説明】
【００６８】
【図１】この発明の一実施例で、連結端部を開放した状態で示した斜視図である。（実施例１）
【図２】この発明の他の実施例で、連結端部を閉じた状態で示した斜視図である。（実施例２）
【図３】この発明の更に他の実施例で、各鋤状刃の両辺部を重ねないもので連結端部を開放した状態で示した斜視図である。（実施例３）
【図４】図１の実施例にて、各鋤状刃にＵ字状曲辺部のないものとして連結端部を閉じ全鋤状刃の刃先を集結状にした状態で示した斜視図である。（実施例４）
【図５】打撃頭部を設けた鋤状刃の拡大斜視図である。（実施例５）
【図６】この発明の一実施例を用いて、掘削作業途中における要部のみを示した説明用の側面断面図である。
【図７】この発明の定径環の実施例にて、接合部分のみを拡大して示した正面断面図である。（実施例６）
【図８】この発明の一実施例を、作業車のバケット取付け用ブラケットに装着した状態で示した側面図である。
【図９】図４の実施例にて、伸縮手段として把手を採用し、連結端部を手動開閉式とした斜視図である。（実施例７）
【図１０】この発明の鋤状刃の更に他の実施例で、鋤状刃を半円状支持枠体に対して上下方向へ或る程度移動可能とするように構成したものの斜視図である。（実施例８）
【符号の説明】
【００６９】  １  半円状支持枠体
２  鋤状刃
３  回動軸
４  ブラケット
５  伸縮手段
６  連結端部
７  作業車のアーム
８  アーム取付部
９  Ｕ字状曲辺部
１０  押圧用補助アーム
１１  補助アーム用軸受
１２  吊上用フック
１３  打撃頭部
１４  半円形体
１５  定径環
２３  短管
３０  短管動案内枠
【図１】
2008113641.tif 000003
【図２】
2008113641.tif 000004
【図３】
2008113641.tif 000005
【図４】
2008113641.tif 000006
【図５】
2008113641.tif 000007
【図６】
2008113641.tif 000008
【図７】
2008113641.tif 000009
【図８】
2008113641.tif 000010
【図９】
2008113641.tif 000011
【図１０】
2008113641.tif 000012